(57)【要約】【課題】吹奏するだけで発光体を確実に点灯させることができるレスキューホイッスルを提供する。【解決手段】 ホイッスル１０は、共鳴体１２の内側に、プロペラ１４、モータ１６、昇圧回路１８、ＬＥＤ２０を配置した小型の笛である。吹込口２２に息を吹き込むと、呼気は最初にプロペラ１４の羽根に当たり、プロペラ１４が回転を始める。プロペラ１４の回転は、回転軸３４を通してモータ１６に伝わり、モータ１６で発電された電気が昇圧回路１８で昇圧され、ＬＥＤ２０を点灯させる。呼気は通風路３６を通って歌口２４から共鳴体１２の外側に抜け、これにより警笛音が鳴る。【選択図】図１
2014170021.tif 000002
【特許請求の範囲】
【請求項１】
吹込口を備えた共鳴体と、
前記吹込口と連続する空間に設けられた受風回転体と、
前記受風回転体の回転中心部と連結された軸発電機と、
前記軸発電機から受電する発光体と、
を備えるレスキューホイッスル。
【請求項２】
前記受風回転体が発音体を兼ねる、
請求項１に記載のレスキューホイッスル。
【請求項３】
筒状の共鳴体と、
前記共鳴体の一方の端部に設けられた吹込口と、
前記共鳴体の側面に設けられた歌口と、
前記吹込口から吹き込まれた呼気を受けて回転するプロペラと、
前記プロペラの回転中心部と連結された軸発電機と、
前記共鳴体の他方の端部に設けられ、前記軸発電機から受電して発光するＬＥＤと、
を備えるレスキューホイッスル。
【請求項４】
筒状の共鳴体と、
前記共鳴体の一方の端部に設けられた吹込口と、
前記吹込口から吹き込まれた呼気を受けて回転する第１の円盤と、
前記第１の円盤に設けられた孔と連通可能な孔が設けられた第２の円盤と、
前記第１の円盤の回転中心部と連結された軸発電機と、
前記共鳴体の他方の端部に設けられ、前記軸発電機から受電して発光するＬＥＤと、
を備えるレスキューホイッスル。
【発明の詳細な説明】
【技術分野】
【０００１】
本発明は、ホイッスルの吹奏時に発光体が自動で点灯するレスキューホイッスルに関する。
【背景技術】
【０００２】
レスキューホイッスルは、被災者が自分の居場所を周囲に知らせるために用いられる比較的小型の笛である。倒壊した建物や瓦礫の中に閉じ込められた場合、自分の居場所を特定してもらうために大声を上げて救助を求めても救援者の耳に届かないことも多く、声を出し続けることで体力を著しく消耗してしまう。このような場合、レスキューホイッスルは軽く吹くだけで人間の耳に最も聞こえやすい帯域の警笛音を大音量で発生させることができるため、体力を消耗することなく自分の居場所を救援者に知らせることができる。またレスキューホイッスルに発光体を備えることにより、視覚的にも被災者の居場所を特定しやすくする工夫もなされている（特許文献１乃至３参照）。
【先行技術文献】
【特許文献】
【０００３】
【特許文献１】特開２００１−１２６１５１号公報
【特許文献２】実登第３０８６８８５号公報
【特許文献３】実登第３１７２０３４号公報
【発明の概要】
【発明が解決しようとする課題】
【０００４】
従来、この種のレスキューホイッスルは、発光体の電源として電池を用いる場合がほとんどである。電池を用いれば明るい光を継続的に点灯させることができるという利点がある。しかし、電池の入れ忘れや電池が消耗している場合には一切点灯させることができないという欠点もある。レスキューホイッスルのように日常的には使用されない商品の場合、電池の点検は怠りがちになるため、被災時などの緊急時に発光体が点灯しないことも十分に起こりうる問題である。また、発光体への通電のために点灯スイッチをＯＮ／ＯＦＦする動作も緊急時には煩わしいものであり、状況によっては点灯スイッチに触ることができないこともありうる。
【課題を解決するための手段】
【０００５】
本発明は、これらの課題を解決するために、以下のように構成されたレスキューホイッスルを提供する。
【０００６】
レスキューホイッスルは、第１の態様として、吹込口を備えた共鳴体と、前記吹込口と連続する空間に設けられた受風回転体と、前記受風回転体の回転中心部と連結された軸発電機と、前記軸発電機から受電する発光体と、を備える。
【０００７】
第２の態様として、前記受風回転体が発音体を兼ねる。
【０００８】
第３の態様として、筒状の共鳴体と、前記共鳴体の一方の端部に設けられた吹込口と、前記共鳴体の側面に設けられた歌口と、前記吹込口から吹き込まれた呼気を受けて回転するプロペラと、前記プロペラの回転中心部と連結された軸発電機と、前記共鳴体の他方の端部に設けられ、前記軸発電機から受電して発光するＬＥＤと、を備える。
【０００９】
第４の態様として、筒状の共鳴体と、前記共鳴体の一方の端部に設けられた吹込口と、前記吹込口から吹き込まれた呼気を受けて回転する第１の円盤と、前記第１の円盤に設けられた孔と連通可能な孔が設けられた第２の円盤と、前記第１の円盤の回転中心部と連結された軸発電機と、前記共鳴体の他方の端部に設けられ、前記軸発電機から受電して発光するＬＥＤと、を備える。
【発明の効果】
【００１０】
レスキューホイッスルの第１の態様により、共鳴体の吹込口に息を吹き込むと、警笛音が発生するとともに受風回転体が回転して軸発電機が発電を行い、発光体が点灯する。このように共鳴体に息を吹き込むだけで発音と発電が同時に行われるので、電池切れや点灯スイッチの入れ忘れなどの心配がなく、ホイッスルを吹奏するだけで発光体を確実に点灯させることができる。
【００１１】
第２の態様により、例えばサイレンのような回転円盤を用いたホイッスルにおいても、電池も点灯スイッチも用いることのない自動発光を実現することができる。
【００１２】
第３の態様により、発電効率が高いプロペラと消費電力が低いＬＥＤを用いることで、比較的軽度の負担で効率の良い発電および発光を実現することができる。
【００１３】
第４の態様により、発音体として、第１の円盤と第２の円盤からなるサイレンを用いることで、音の周波数特性を簡単に変更することができるようになるので、用途に応じた音に容易に調節することができる。
【図面の簡単な説明】
【００１４】
【図１】レスキューホイッスルの第１の実施形態の構造を示す模式図
【図２】図１の２−２断面図
【図３】図１の３−３断面図
【図４】レスキューホイッスルの第１の実施形態の動作を示す説明図
【図５】レスキューホイッスルの第２の実施形態の構造を示す模式図
【図６】図５の６−６断面図
【図７】図５の７−７断面図
【図８】レスキューホイッスルの第２の実施形態の動作を示す説明図
【発明を実施するための形態】
【００１５】
本発明の実施の形態について、添付された図面を参照しながら説明する。図１は本発明の第１の実施形態であるレスキューホイッスルの構造を示す模式図である。ホイッスル１０は、共鳴体１２の内側に、プロペラ１４、モータ１６、昇圧回路１８、ＬＥＤ２０を配置した小型の笛である。
【００１６】
共鳴体１２は、一方向に延伸された金属製の管状体であり、一方の端部に吹込口２２、側壁に歌口２４、他方の端部にＬＥＤ装着口２６が設けられている。共鳴体１２の内部空間には、吹込口２２側から歌口２４側に向けて、プロペラ１４、モータ１６、昇圧回路１８、ＬＥＤ２０の順に配置されている。
【００１７】
プロペラ１４は、図２に示すように、回転中心となる中心軸３０の径方向に広がる複数の羽根３２で構成されている。各羽根３２には軸方向に対して僅かな角度がつけられており、吹込口２２から吹き込まれた呼気の流れによってプロペラ１４は中心軸３０を中心として一定の方向に回転する。プロペラ１４は気流方向に対する断面積が小さく、呼気の流れをほとんど阻害しないため、ホイッスルとしての機能は十分に保たれる。
【００１８】
モータ１６は直径約８ｍｍの直流型であり、回転軸３４がプロペラ１４の中心軸３０と同一直線上で連結されている。共鳴体１２の内径は約１０ｍｍであるため、モータ１６を中心に据え、図３に示すように共鳴体１２の内壁との間に幅約１ｍｍの円環状の通風路３６が設けられているため、呼気の流れはほとんど阻害されることはなく、ホイッスルとしての機能は十分に保たれる。
【００１９】
モータ１６の電極には昇圧回路１８を介してＬＥＤ２０が接続されている。モータ１６は、プロペラ１４の回転を受けて発電を行う軸発電機として機能する。モータ１６によって発電された電気は、昇圧回路１８によって規定の電圧まで高められた後にＬＥＤ２０に送られる。
【００２０】
ＬＥＤ２０は、共鳴体１２の端部に設けられたＬＥＤ装着口２６に装着されている。ＬＥＤ２０は照明としての機能よりは居場所を示す目印としての機能が優先されるため、高輝度のものが望ましい。色については特段の限定はない
【００２１】
ホイッスル１０の発音機能と発光機能について、図４を参照して説明する。ホイッスル１０は既存のホイッスルと同様に吹込口２２が設けられた側の端部を口に咥えて使用する。吹込口２２に息を吹き込むと、呼気は最初に羽根３２に当たり（図４ａ）、これによりプロペラ１４が回転を始める（図４ｂ）。プロペラ１４の回転は、回転軸３４を通してモータ１６に伝わり、モータ１６で発電された電気が昇圧回路１８で昇圧され、ＬＥＤ２０を点灯させる（図４ｃ）。羽根３２に当たった呼気は通気路３６を通って歌口２４から共鳴体１２の外側に抜け、これにより警笛音が鳴る（図４ｄ）。
【００２２】
このように警笛音が鳴ると同時にＬＥＤ２０が点灯することにより、警笛音で周囲の注意を喚起し、光によって居場所を知らせることができる。ＬＥＤ２０の点灯に呼気の有する運動エネルギを用い、従来のように電池等の揮発性の電源を使用しないため、電池の入れ忘れや消耗による不点灯という不具合の発生を排除することができる。
【００２３】
図５は本発明の第２の実施形態であるレスキューホイッスルの構造を示す模式図である。ホイッスル４０は、共鳴体４２の内側に、サイレン４４、モータ４６、昇圧回路４８、ＬＥＤ５０を配置した小型の笛である。
【００２４】
共鳴体４２は、一方向に延伸された金属製の管状体であり、一方の端部に吹込口５２、側壁に排気口５４、他方の端部にＬＥＤ装着口５６が設けられている。共鳴体４２の内部空間には、吹込口５２側から排出口５４側に向けて、サイレン４４、モータ４６、昇圧回路４８、ＬＥＤ５０の順に配置されている。
【００２５】
サイレン４４は、互いに重ね合わされた２枚の円盤６０、６２で構成されている。どちらの円盤にも、図６に示すように、円周方向に均等な間隔で複数の孔６４、６６が設けられている。吹込口５２側に置かれた第１の円盤６０は、回転中心となる中心軸６８に固定されている。孔６４の一部には軸方向に対して僅かな角度がつけられた風受面７０が設けられているため、第１の円盤６０は吹込口５２から吹き込まれた呼気によって中心軸６８を中心として一定の方向に回転する。
【００２６】
排出口５４側に置かれた第２の円盤６２は、共鳴体４２の内壁面に固定されている。第１の円盤６０が回転すると、互いの孔６４、６６の位置が重なるときと重ならないときが発生し、重なった場合にのみ呼気が孔６４、６６を通過する。この呼気の断続的な流れによって周囲の空気が振動し、いわゆるサイレン音が発生する。
【００２７】
モータ４６は直径約８ｍｍの直流型であり、回転軸７２が第１の円盤６０の中心軸６８と同一直線上で連結されている。モータ４６の電極には昇圧回路４８を介してＬＥＤ５０が接続されている。モータ４６は、第１の円盤６０の回転を受けて発電を行う軸発電機として機能する。モータ４６によって発電された電気は、昇圧回路４８によって規定の電圧まで高められた後にＬＥＤ５０に送られる。
【００２８】
ＬＥＤ５０は、共鳴体４２の端部に設けられたＬＥＤ装着口５６に装着されている。ＬＥＤ５０は照明としての機能よりは居場所を示す目印としての機能が優先されるため、高輝度のものが望ましい。色については特段の限定はない
【００２９】
ホイッスル４０の発音機能と発光機能について、図８を参照して説明する。ホイッスル４０は既存のホイッスルと同様に吹込口５２が設けられた側の端部を口に咥えて使用する。吹込口５２に吹き込まれた呼気は第１の円盤６０に当たる（図８ａ）。第１の円盤６０が回転を始める（図８ｂ）。第１の円盤６０の回転により、第２の円盤６２側に断続的に呼気が流れ、周囲の空気が振動することで、サイレン４４はサイレン音を鳴らす（図８ｃ）。第１の円盤６０の回転は、回転軸７２を通してモータ４６に伝わり、モータ４６で発電された電気が昇圧回路４８で昇圧され、ＬＥＤ５０を点灯させる（図８ｄ）。
【符号の説明】
【００３０】
１０、４０    ホイッスル
１２、４２    共鳴体
１４          プロペラ
１６、４６    モータ
１８、４８    昇圧回路
２０、５０    ＬＥＤ
２２、５２    吹込口
２４          歌口
２６、５６    ＬＥＤ装着口
４４          サイレン
６０          第１の円盤
６２          第２の円盤
【図１】
2014170021.tif 000003
【図２】
2014170021.tif 000004
【図３】
2014170021.tif 000005
【図４】
2014170021.tif 000006
【図５】
2014170021.tif 000007
【図６】
2014170021.tif 000008
【図７】
2014170021.tif 000009
【図８】
2014170021.tif 000010